(57)【特許請求の範囲】
【請求項１】
取付本体１０とカバー体１１を有すると共に、着用具４で身体に装着される装置本体１と、
前記取付本体１０に取付けられ、前記カバー体１１とで空気室１２を形成する薬剤保持体３を有し、
前記カバー体１１の空気流通部１３を通して前記空気室１２内に外気が流通可能で、かつ前記空気室１２内の空気が撹拌されることで前記薬剤保持体３の薬剤含浸体３ａに空気が触れると共に、揮散した薬剤が大気に拡散するように構成し、
前記空気室１２内における前記薬剤保持体３と前記カバー体１１との間に、回転自在に設けられ、その装置本体１が動作することで回転し、前記空気室１２内の空気を撹拌する回転体２と、
前記装置本体１と回転体２に取付けられ、当該回転体２の回転によって反発力が生じ、その回転体２が反対方向に回転して回転を助長する第1の磁石５と第２の磁石6を備えていることを特徴とする着用型薬剤拡散装置。
【請求項２】
装置本体１を着用具４に、回転体２の回転方向に揺動可能に連結した請求項１記載の着用型薬剤拡散装置。
【請求項３】
取付本体１０は薬剤取付部１０ｃを有し、その薬剤取付部１０ｃに薬剤保持体３を正面側より着脱自在に取付け、
前記取付本体１０にカバー体１１を着脱自在に取付け、そのカバー体１１と薬剤保持体３で空気室１２を形成し、
前記カバー体１１に回転体２を、回転することで空気室１２内の空気を撹拌し、かつ外気が流通するように回転自在に設けた請求項１又は２記載の着用型薬剤拡散装置。
【請求項４】
取付本体１０は薬剤取付部１０ｃを有し、その薬剤取付部１０ｃに薬剤保持体３を正面側より着脱自在に取付け、
前記取付本体１０にカバー体１１を着脱自在に取付け、そのカバー体１１と薬剤保持体３で空気室１２を形成し、
前記取付本体１０に回転体２を、回転することで空気室１２内の空気を撹拌し、かつ外気が流通するように回転かつ着脱自在に設けた請求項１又は２記載の着用型薬剤拡散装置。
【請求項５】
取付本体１０とカバー体１１で空間部８を形成し、
前記取付本体１０に薬剤保持体３を、前記空間部８に挿入、抜き出し自在に取付け、
この薬剤保持体３と前記カバー体１１で空気室１２を形成し、
前記カバー体１１に回転体２を、回転することで空気室１２内の空気を撹拌し、かつ外気が流通するように回転自在に設けた請求項１又は２記載の着用型薬剤拡散装置。
【請求項６】
取付本体１０は薬剤取付部１０ｃを有し、この薬剤取付部１０ｃに薬剤保持体３を背面側より着脱自在に取付け、
前記薬剤保持体３とカバー体１１で空気室１２を形成し、該カバー体１１に、回転体２を、回転することで空気室１２内の空気を撹拌し、かつ外気が流通するように回転自在に設けた請求項１又は２記載の着用型薬剤拡散装置。
【請求項７】
取付本体１０は薬剤取付部１０ｃと回転体取付部５０を有し、
その薬剤取付部１０ｃに薬剤保持体３を背面側から着脱自在に取付け、
前記薬剤保持体３とカバー体１１で空気室１２を形成し、
前記取付本体１０の回転体取付部５０に回転体２を、回転することで空気室１２内の空気を撹拌し、かつ外気が流通するように回転自在に設けた請求項１又は２記載の着用型薬剤拡散装置。
【発明の詳細な説明】
【技術分野】
【０００１】
本発明は、人間、家畜やペット等の動物などの身体に着用して、殺虫剤、忌避剤、芳香剤、消臭剤、除菌剤などの揮散性の薬剤を身体の周囲に拡散し、人間などの身体の周りに寄る害虫を避けたり、香りでリラックスしたりする着用型薬剤拡散装置に関する。
【背景技術】
【０００２】
特許文献１に着用型の薬剤拡散装置が開示されている。
この装置は、本体内にモータでファンを回転する送風機と薬剤保持体と電池を設けて送風機を駆動することで吸込口から放出口に空気が流通し、その放出口から放出される空気とともに薬剤保持体の薬剤が大気に拡散される装置本体と、この装置本体に取付けた着用バンドを備え、その着用バンドによって装置本体を人体、動物の体などの身体に着用できる。
【０００３】
【特許文献１】特開２００４−２４１６１号公報
【発明の開示】
【発明が解決しようとする課題】
【０００４】
前述した従来の装置は、モータでファンを回転する送風機と、そのモータ用の電源となる電池を備えているので、そのモータ、電池のために重量が重く、装置本体が大きいから、身体に着用して使用する装置としては好ましくはない。
【０００５】
また、電源として電池が使用され、電池は寿命がくると交換しなければならず、その交換作業の面倒さ、また費用もかかり経済的でない。また、寿命がきた電池はゴミとして廃棄処理問題がある。さらに電池は有害ゴミとなり環境問題を発生させる。
【０００６】
前述のことを解決するには、送風機を使用せずに薬剤保持体から薬剤を自然揮散させ、モータ、電池を必要としないようにすれば良い。
しかし、前述のように薬剤保持体から薬剤を自然揮散するだけでは、その薬剤の揮散量が少なく、実用的ではない。
【０００７】
そこで、前述の従来の装置において、モータ、電池を使用せずに、ファンを回転自在とし、身体の動きで装置本体を動作、例えば振るなどしてファンを回転させることが考えられるが、このようにしてファンを回転させるのでは、振る方向やタイミング等によって回転が弱いか、回転しないことがあり、ファンの回転の確実性に欠け、多くの薬剤を揮散できないことがある。
【０００８】
本発明の目的は、モータ、電池を使用せずに多くの薬剤を確実に揮散することができる着用型薬剤拡散装置を提供することである。
【課題を解決するための手段】
【０００９】
第１の発明は、取付本体１０とカバー体１１を有すると共に、着用具４で身体に装着される装置本体１と、
前記取付本体１０に取付けられ、前記カバー体１１とで空気室１２を形成する薬剤保持体３を有し、
前記カバー体１１の空気流通部１３を通して前記空気室１２内に外気が流通可能で、かつ前記空気室１２内の空気が撹拌されることで前記薬剤保持体３の薬剤含浸体３ａに空気が触れると共に、揮散した薬剤が大気に拡散するように構成し、
前記空気室１２内における前記薬剤保持体３と前記カバー体１１との間に、回転自在に設けられ、その装置本体１が動作することで回転し、前記空気室１２内の空気を撹拌する回転体２と、
前記装置本体１と回転体２に取付けられ、当該回転体２の回転によって反発力が生じ、その回転体２が反対方向に回転して回転を助長する第1の磁石５と第２の磁石6を備えていることを特徴とする着用型薬剤拡散装置である。
【００１０】
第２の発明は、第１の発明において、装置本体１を着用具４に、回転体２の回転方向に揺動可能に連結した着用型薬剤拡散装置である。
【００１１】
第３の発明は、第１又は第２の発明において、取付本体１０は薬剤取付部１０ｃを有し、その薬剤取付部１０ｃに薬剤保持体３を正面側より着脱自在に取付け、
前記取付本体１０にカバー体１１を着脱自在に取付け、そのカバー体１１と薬剤保持体３で空気室１２を形成し、
前記カバー体１１に回転体２を、回転することで空気室１２内の空気を撹拌し、かつ外気が流通するように回転自在に設けた着用型薬剤拡散装置である。
【００１２】
第４の発明は、第１又は第２の発明において、取付本体１０は薬剤取付部１０ｃを有し、その薬剤取付部１０ｃに薬剤保持体３を正面側より着脱自在に取付け、
前記取付本体１０にカバー体１１を着脱自在に取付け、そのカバー体１１と薬剤保持体３で空気室１２を形成し、
前記取付本体１０に回転体２を、回転することで空気室１２内の空気を撹拌し、かつ外気が流通するように回転かつ着脱自在に設けた着用型薬剤拡散装置である。
【００１３】
第５の発明は、第１又は第２の発明において、取付本体１０とカバー体１１で空間部８を形成し、
前記取付本体１０に薬剤保持体３を、前記空間部８に挿入、抜き出し自在に取付け、
この薬剤保持体３と前記カバー体１１で空気室１２を形成し、
前記カバー体１１に回転体２を、回転することで空気室１２内の空気を撹拌し、かつ外気が流通するように回転自在に設けた着用型薬剤拡散装置である。
【００１４】
第６の発明は、第１又は第２の発明において、取付本体１０は薬剤取付部１０ｃを有し、この薬剤取付部１０ｃに薬剤保持体３を背面側より着脱自在に取付け、
前記薬剤保持体３とカバー体１１で空気室１２を形成し、該カバー体１１に、回転体２を、回転することで空気室１２内の空気を撹拌し、かつ外気が流通するように回転自在に設けた着用型薬剤拡散装置である。
【００１５】
第７の発明は、第１又は第２の発明において、取付本体１０は薬剤取付部１０ｃと回転体取付部５０を有し、
その薬剤取付部１０ｃに薬剤保持体３を背面側から着脱自在に取付け、
前記薬剤保持体３とカバー体１１で空気室１２を形成し、
前記取付本体１０の回転体取付部５０に回転体２を、回転することで空気室１２内の空気を撹拌し、かつ外気が流通するように回転自在に設けた着用型薬剤拡散装置である。
【発明の効果】
【００１６】
請求項１に係る発明によれば、身体を動かすことで装置本体１が動作し、それによって回転体２が回転することで薬剤保持体３の薬剤含浸体３ａから薬剤が揮散し、大気に拡散する。
しかも、回転体２が一方向に回転すると第１の磁石５が第２の磁石６に接近して反発力が生じ、その反発力によって回転体２が他方向に回転し、再び第１の磁石５が第２の磁石６に接して反発力が生じて回転体２が一方向に回転する。
この動作を複数回繰り返すことで、回転体２は複数回往復回転する。
さらに、空気室１２にはカバー体１１の空気流通部１３を通して外気が流通すると共に、薬剤保持体３は取付本体１０に設けられ、この薬剤保持体３とカバー体１１との間で回転体２が回転して空気室１２内の空気を撹拌して外気が流通するから、薬剤保持体３が邪魔にならずに空気室１２内に外気がスムーズに流通する。
【００１７】
このように装置本体１の動作による回転体２の回転を、第１の磁石５と第２の磁石６とで複数回の往復回転に助長すると共に、空気室１２に外気がスムーズに流通するので、モータ、電池を使用せずに薬剤含浸体３ａから多くの薬剤を確実に揮散して大気に拡散できる。
【００１８】
請求項２に係る発明によれば、身体が動くことで装置本体１は着用具４に対して回転体２の回転方向に揺動するから、身体が動くだけで回転体２が必ず回転し、身体に着用して使用する薬剤拡散装置として好適である。
【００１９】
請求項３に係る発明によれば、取付本体１０からカバー体１１を取り外すことで、そのカバー体１１とともに回転体２も取付本体１０から取り外しされるので、取付本体１０から薬剤保持体３を取り外し、取付けでき、その薬剤保持体３の交換が容易である。
【００２０】
請求項４に係る発明によれば、取付本体１０からカバー体１１を取り外した状態で、その取付本体１０から回転体２を取り外すことで薬剤保持体３を交換することができる。
【００２１】
請求項５に係る発明によれば、空間部８に薬剤保持体３を挿入、抜き出し自在であるから、カバー体１１、回転体２を取り外しせずに薬剤保持体３を交換できる。
【００２２】
請求項６に係る発明によれば、取付本体１０の背面側から薬剤保持体３を取付け、取り外しできるので、薬剤保持体３を容易に交換することができる。
【００２３】
請求項７に係る発明によれば、取付本体１０の背面側から薬剤保持体３を取付け、取り外しできるので、薬剤保持体３を容易に交換することができる。
【発明を実施するための最良の形態】
【００２４】
本発明の第１の実施の形態を図１と図２に基づいて説明する。
装置本体１と、この装置本体１に回転可能に設けた回転体２と、装置本体１に取付けた薬剤保持体３と、前記装置本体１に取付けた着用具４と、前記装置本体１と前記回転体２とに取付けられて当該回転体２の回転を助長する第１の磁石５、第２の磁石６を備えて着用型薬剤拡散装置としてある。
【００２５】
前記装置本体１は着用具４で人間、動物などの身体に着用される。例えば、人間の腰に吊り下げて着用される。
この装置本体１は、取付本体１０とカバー体１１を有し、その取付本体１０に薬剤保持体３が取付けられる。この薬剤保持体３とカバー体１１とで空気室１２を形成している。この空気室１２内にはカバー体１１を通して外気が流通可能としてある。
前記回転体２は、前記装置本体１、例えばカバー体１１に回転可能に支持され、装置本体１を動作することで空気室１２内において回転し、前記空気室１２内の空気が撹拌されるようにしてある。
前記薬剤保持体３は、薬剤有効成分を主成分とする薬剤（薬剤組成物）を含浸した薬剤含浸体３ａを有し、その薬剤含浸体３ａに空気が触れることで前記薬剤が揮散する。
前記薬剤保持体３は、取付本体１０に、前記空気室１２内の空気が撹拌されることで、その薬剤含浸体３ａに空気が触れると共に、揮散した薬剤が大気に拡散するように、着脱自在に取付けてある。
【００２６】
前記第１の磁石５は回転体２に取付けてある。前記第２の磁石６は装置本体１、例えばカバー体１１に取付けてあり、その回転体２が一方向に回転すると第１の磁石５が第２の磁石６に接近して反発力が生じるようにしてある。つまり、第１の磁石５と第２の磁石６の同極が対向することで反発力が生じる。
この反発力によって回転体２が他方向に回転し、再び第１の磁石５が第２の磁石６に接して反発力が生じて回転体２が一方向に回転する。
この動作を複数回繰り返しすることで、回転体２は複数回往復回転する。
【００２７】
このように、回転体２が回転することで、空気室１２内の空気が撹拌され、薬剤保持体３の薬剤含浸体３ａに対して空気が相対的に流動することになるので、多くの薬剤が揮散する。
しかも、第１の磁石５と第２の磁石６とで回転体２の回転が助長されて複数回往復回転するので、装置本体１を僅かに動作することで回転体２が確実に回転する。
したがって、モータ、電池を用いずに薬剤保持体３の薬剤含浸体３ａから多くの薬剤を確実に揮散することができる。
【００２８】
さらに、カバー体１１を通して空気室１２に外気が流通可能で、薬剤保持体３は取付本体１０に設けてあり、回転体２は薬剤保持体３とカバー体１１との間で回転するから、その回転体２が回転することで空気室１２内の空気が撹拌されると共に、薬剤保持体３が邪魔にならずに外気がスムーズに流通する。
したがって、薬剤保持体３の薬剤含浸体３ａから揮散した薬剤をスムーズに大気に拡散することができる。
【００２９】
次に、各部の好ましい形態を説明する。
前記装置本体１の取付本体１０に着用具４が取付けてある。
前記着用具４は、フック４ａである。
そして、人間の腰に装着したベルトや、衣服のポケットにフック４ａを引っ掛けて装置本体１を腰に吊り下げて使用する。
前記着用具４は、バンド、紐や鎖などでも良く、ベルト等に吊り下げたり腰や首など身体の一部に巻き付け吊り下げて使用することができる。
【００３０】
この実施の形態では、前記着用具４をフック４ａとすると共に、この着用具４に装置本体１（取付本体１０）を回転体２の回転方向に沿って揺動自在に吊り下げ連結する。例えば、ピン７で揺動自在（首振り自在）に連結する。
【００３１】
このようにすることで、着用具４を人間の腰のベルトに引っ掛けて吊り下げるようにして着用することで、人間が歩行などすることによって着用具４に対して装置本体１が揺動するので、回転体２が回転する。
したがって、回転体２が確実に連続して回転するので、より多くの薬剤を揮散することができる。
【００３２】
前記取付本体１０は薬剤取付部を有している。
例えば、取付本体１０は、プレート１０ａにリング状の突部１０ｂを設けて正面側（カバー体１１側）に開口した環状凹部を有し、その環状凹部を薬剤取付部１０ｃとしてある。
前記薬剤保持体３が、取付本体１０の薬剤取付部１０ｃに正面側より着脱自在に取付けてある。
この薬剤保持体３とカバー体１１で空気室１２を形成している。なお、図２においては、取付本体１０の突部１０ｂの一部分と薬剤保持体３とカバー体１１で空気室１２を形成しているが、カバー体１１の形状や薬剤保持体３の取付け方などによっては薬剤保持体３とカバー体１１で空気室１２を形成することができる。
【００３３】
前記カバー体１１に空気流通部１３が形成してある。
この空気流通部１３によって空気室１２が外部に連通し、その空気室１２に外気が流通する。
この実施の形態では、カバー体１１の表面板１１ａに、複数の開口部１３ａが形成されていると共に、筒体１１ｂにスリット状の開口部１３ｂが複数形成され、この開口部１３ａ，１３ｂで空気流通部１３としてある。
【００３４】
前記カバー体１１は取付本体１０に着脱自在に取付けてある。
例えば、前記カバー体１１を表面板１１ａと筒体１１ｂを有する形状とし、その筒体１１ｂを前記取付本体１０の突部１０ｂに嵌合して取付けられる。
【００３５】
前記カバー体１１を取付本体１０から取り外すことで、そのカバー体１１とともに回転体２が取付本体１０から取り外しされるから、前記カバー体１１を取付本体１０から取り外すことで薬剤保持体３を容易に交換できる。
【００３６】
前記回転体２は回転することで空気室１２内の空気を撹拌し、空気室１２内に空気が出入りするようにしてある。
例えば、前記回転体２は、円板状の中央プレート２０とリング状の外周プレート２１を放射状の複数のリブ２２で一体的に連結した複数の通気用開口部２３を有した円板形状で、その中央プレート２０に回転軸２４が取付けてあると共に、前記各リブ２２に羽根片２５が設けてある。
前記装置本体１のカバー体１１の中央部（表面板１１ａの中央部）には孔１４が形成してあり、この孔１４に前記回転軸２４を回転自在に挿入して支持することで回転体２をカバー体１１に回転可能に取付けてある。
【００３７】
前記第１の磁石５は回転体２の外周プレート２１の表面（回転体２の表面）に、前記カバー体１１と対向して固着してある。
前記第２の磁石６はカバー体１１（表面板１１ａ）に前記回転体２の外周プレート２１と対向して固着してある。
この第１の磁石５と第２の磁石６は前記回転体２の回転中心（回転軸２４）を中心とする同一の円形軌跡上に位置し、回転体２が図１で一方向（矢印ａ）に回転すると第１の磁石５が第２の磁石６に接近して反発力が生じ、その反発力で回転体２が他方向（矢印ｂ）に回転する。
【００３８】
各部材は、前述のものに限ることはなく、種々の異なるものとすることができる。
前記着用具４に取付本体１０をボルト等で固着しても良いし、着用具４と取付本体１０を一体としても良い。
前記着用具４にカバー体１１を前述のように取付け、又は一体としても良い。
【００３９】
また、薬剤は有効成分の他に、溶剤、揮散調整剤、分解防止剤などからなる液製剤である。
本発明の着用型薬剤拡散装置は、薬剤（有効成分）の拡散状況が着用者の動作状態及び使用の環境によって左右され不規則である。このことから、薬剤含浸体３ａは有効成分の有無（効力の有無）を目視で確認できる製剤が好ましい。
製剤としては、薬剤として終点表示機能剤を添加した組成物とし、色変化などを目視する。
また、それ自体が表示機能を有する素材を用いることもできる。
製剤種として液剤に限定されず、ゲル化剤によるゲル製剤、昇華剤などからなる固体製剤などとして用いることもできる。製剤自体が減少、又は消滅し、目視で確認できる製剤が好ましい。
また、液剤と含浸物質を組み合わせ、液の減少を目視確認するようにしても良い。
また、薬剤(有効成分)の有無(効力の有無)を外部から目視で確認できるようにしても良い。例えば、前述の確認手段を有する薬剤保持体３をカバー体１１の空気流通部１３から目視できるようにすることが可能であるが、取付本体１０を、例えば透視可能な素材を使用する、又は目視穴を設け確認するようにしても良い。
【００４０】
前記第２の磁石６は取付本体１０に取付けても良い。
また、前記回転体２の第１の磁石５の取付位置としては、その表面の外周寄り、又は回転体２の外周面、又は回転体２の表面の外周よりが好ましい。一方、取付本体１０、又はカバー体１１の第２の磁石６は、第１の磁石５に対向する取付本体１０の表面の外周寄り、又は取付本体１０の外周面内側、カバー体１１内の外周面、又はカバー体１１内の天面に取付ける。
【００４１】
前記第１・第２の磁石５，６の取付け個数は、特に限定されない。
通常、回転体２が回転する往復距離（円周の長さ）が長くなるほど空気が撹拌されて多くの薬剤が揮散することから、磁石の取付け個数は各々１つが好ましい。また動作状態によるが、回転する往復距離が長くなると回転途中で反転することもあり、この場合、各々２つ取付ける、又は一方を１つ、他方を２つ取付けるようにしても良い。このことから回転する往復距離（回転体２の外径寸法）に応じて取付け個数を決めることが望ましい。
【００４２】
前記回転体２は、その裏面に中央から四方に向けて複数の羽根片２５（８枚）を有する形状であるが、この羽根片２５は回転体２の裏面、外周面、又は裏面と表面などに取付けても良いし、この羽根片２５の枚数は限定されない。また、羽根片２５の形状は自由であり、垂直形状、斜めに傾いた形状や湾曲した形状、更には通常のファン形状とすることもできる。
例えば、円板の表面に複数の羽根片を放射状に設けた回転体、円板の外周面に複数の羽根片を放射状に設けた回転体、羽根片を中心から外周に向けて直線状ではなく湾曲させた回転体、回転体をプロペラファンとしたもの、回転体をシロッコファンとしたもの等、任意な形状の回転体とすることができる。
【００４３】
前記薬剤含浸体３ａは、薬剤有効成分を主成分とする薬剤（薬剤組成物）を含浸した不織布などの通気性のシートとしてある。
この実施の形態では、薬剤含浸体３ａのみで板状の薬剤保持体３とし、取付本体１０の環状凹部より成る薬剤取付部１０ｃに着脱自在に嵌め込んであるが、これに限ることはない。
例えば、前記薬剤保持体３は、通気用開口を有した容器に薬剤含浸体３ａを入れ、通気用開口を有した押えプレートを容器に嵌合したものでも良い。
この薬剤保持体３は、その容器を取付本体１０の環状凹部である薬剤取付部１０ｃ内に正面側より嵌め込んで取付ける。
【００４４】
前記薬剤保持体３は、図２に仮想線で示すように、カバー体１１の筒体１１ｂの内周面に沿ったリング形状部３ｂを有する形状としても良い。
この場合には、回転体２をシロッコファン形状とし、その回転体２が回転することで表面板１１ａの開口部１３ａと筒体１１ｂの開口部１３ｂとに外気が流れるようにすれば、より一層多量の薬剤を揮散してスムーズに大気に拡散できる。
【００４５】
次に、本発明の第２の実施の形態を図３に基づいて説明する。
この実施の形態は、薬剤保持体３を取付本体１０の背面側から着脱自在に取付けてあること、第２磁石６が取付本体１０に設けてあることが、前述の第１の実施の形態と相違し、他の構成は同様である。
前記取付本体１０のプレート１０ａに開口部１５を形成すると共に、その開口部１５に底蓋１６を嵌め込んで着脱自在に設けることで薬剤取付部１０ｃとする。この底蓋１６はヒンジで開閉自在に取付けることもできる。
この底蓋１６の凹部１６ａに薬剤保持体３（薬剤含浸体３ａ）を設け、その底蓋１６を開口部１５に取付け、取り外しすることで薬剤保持体３を装置本体１に取付けたり、取り外しできるようにする。
【００４６】
このようにすれば、カバー体１１や回転体２を取り外しせずに薬剤保持体３を交換できるので、そのカバー体１１を取付本体１０と一体とすることが可能である。
【００４７】
前記回転体２はカバー体１１に回転自在に設けてある。
前記取付本体１０の開口部１５が大きく、回転体２を挿入してカバー体１１に取付けできればカバー体１１を取付本体１０と一体又は、取り外しできないように固着することができる。なお、回転体２を開口部１５から挿入してカバー体１１に取付けできない場合には、カバー体１１を取付本体１０と別体とし、取付けすれば良い。
【００４８】
次に、本発明の第３の実施の形態を図４に基づいて説明する。
この実施の形態は、取付本体１０の背面側から薬剤保持体３を取付け、取り外しできるようにしたことが第１の実施の形態と相違し、他の構成は同様である。
前記取付本体１０を、プレート１０ａは大径の孔１０ｄを有すると共に、その孔１０ｄの開口縁に沿ってフランジ付きの筒体１０ｅを正面側に向けて一体的を有して段付き孔形状の薬剤取付部１０ｃを備えた形状とする。
前記薬剤保持体３は、薬剤容器３８の凹部３８ａに薬剤含浸体３ａを設けたもので、その薬剤容器３８を取付本体１０の背面側より薬剤取付部１０ｃに嵌合して着脱自在に取付けられる。
前記薬剤含浸体３ａがカバー体１１と対向し、そのカバー体１１とで空気室１２を形成する。
【００４９】
前記回転体２はカバー体１１に回転自在に取付けてある。
例えば、前記フランジ付きの筒体１０ｅを通してカバー体１１内に挿入し、その回転体２を設けた回転軸２４をカバー体１１の孔１４に嵌め込んで回転体２をカバー体１１に取付ける。
前記第１磁石５は回転体２の外周面（外周プレート２１の外周面）に設け、第２磁石６はカバー体１１の筒体１１ｂの内面に設ける。
【００５０】
このようにすれば、取付本体１０とカバー体１１を一体として装置本体１とすることができる。例えば、取付本体１０のフランジ付きの筒体１０ｅのフランジに筒体１１ｂを一体的に設ける。
【００５１】
次に、本発明の第４の実施の形態を図５、図６に基づいて説明する。
この実施の形態は、薬剤保持体３の取付けかたが前述の第３の実施の形態と相違し、他の構成は同様である。
前記取付本体１０のプレート１０ａは、孔１０ｄを有すると共に、その孔１０ｄの開口縁に筒体１０ｅが正面側に向けて設けてある。この孔１０ｄが前述の開口部１５で、底蓋１６が着脱自在に嵌合して取付けてある。
前記取付本体１０とカバー体１１で空間部８を形成している。
前記カバー体１１の筒体１１ｂが取付本体１０の筒体１０ｅと一体としてある。
【００５２】
前記取付本体１０の筒体１０ｅに薬剤挿入口１７を空間部８に開口して形成し、その薬剤挿入口１７から薬剤保持体３を空間部８内に挿入して取付けることで、その薬剤保持体３とカバー体１１とで空気室１２を形成する。
前記薬剤保持体３は、通気用開口３０を有した容器３１に薬剤含浸体３ａを入れ、通気用開口３２を有した押えプレート３３を容器３１に嵌合してあると共に、容器３１に手掛け兼のストッパ３４を設けてある。
前記ストッパ３４を手で持って図６に矢印ｃで示すように装置本体１の取付本体１０の薬剤挿入口１７から空間部８内に挿入し、そのストッパ３４を取付本体１０の筒体１０ｅの外周面に接して取付ける。
【００５３】
次に、本発明の第５の実施の形態を図７、図８に基づいて説明する。
この実施の形態は、回転体２を取付本体１０に回転自在に設けたこと、着用具４を身体に巻きつけて着用するものとしたことが前述の第１の実施の形態と大きく相違する。
前記装置本体１の取付本体１０に、回転体２を回転自在に取付けるための孔１８を形成する。
前記孔１８に回転体２に固定した回転軸２４を回転可能で、かつ挿入、抜き出し自在に嵌め込んで、回転体２を取付本体１０に回転自在で、かつ着脱自在に設けてある。
【００５４】
このようであるから、カバー体１１を取り外しすれば回転体２を取付本体１０から取り外しできるので、取付本体１０の薬剤取付部１０ｃに設けた薬剤保持体３を、その回転体２が邪魔にならずに容易に交換できる。
【００５５】
この実施の形態では、回転軸２４が回転体２よりもカバー体１１側に突出し、その突出端部がカバー体１１の表面板１１ａに形成した凹部１９に回転自在に嵌まり込んでいる。
これによって、回転体２の取付けが容易となると共に、回転体２を装置本体１０とカバー体１１（表面板１１ａ）とで回転自在に支持するので、その回転体２はスムーズに回転する。
【００５６】
回転体２はプロペラファン形状としてある。例えば、回転板２６にプロペラ２７を放射状に複数取付けた形状とし、その回転板２６に回転軸２４を取付ける。
この回転軸２４を取付本体１０の孔１８に回転自在に支持する。
【００５７】
前記着用具４は、身体に巻きつけて着用するものとしてある。
例えば、装置本体１の取付本体１０に一側バンド４０と他側バンド４１を一体的に設け、その一側バンド４０と他側バンド４１に相互に係着、離脱する雄テープ片４２、雌テープ片４３を取付ける。
そして、一側バンド４０と他側バンド４１を身体（腕など）に巻きつけて雄テープ片４２と雌テープ片４３を係着することで取付する。
前記一側バンド４０、他側バンド４１は取付本体１０に一体的に設けてあるが、別体としてピン等を利用して回動自在に連結するようにしても良い。
また、雄テープ片４２、雌テープ片４３の代わりにバックルタイプとしても良い。
【００５８】
前記装置本体１０は、プレート１０ａとリング状の突部１０ｂと中央突部１０ｆを有し、その突部１０ｂと中央突部１０ｆとで環状凹部を有し、その環状凹部を薬剤取付部１０ｃとしていると共に、前記中央突部１０ｆに前記孔１８が形成してある。
前記薬剤保持体３は、中央部に孔３ｃを有した円板形状で、前記装置本体１０の環状凹部より成る薬剤取付部１０ｃに正面側（カバー体１１側）から着脱自在に取付けてある。
【００５９】
前記薬剤保持体３は図９（ａ），（ｂ）に示すように、穴付きのプレート３５に薬剤含浸体３ａを設けたものでも良いし、図１０（ａ），（ｂ）に示すように、穴付きで環状凹部３６を有するプレート３７の環状凹部３６に薬剤含浸体３ａを設けたものでも良い。
【００６０】
次に、本発明の第６の実施の形態を図１１〜図１３に基づいて説明する。
この実施の形態は、薬剤保持体３を取付本体１０の背面側から取付けるようにして取付本体１０とカバー体１１を一体とし、回転体２を取付本体１０に取付けたことが前述の第５の実施の形態と相違し、他の構成は第５の実施の形態と同様である。
【００６１】
前記装置本体１０に、回転体取付部５０を残して複数の開口部５１を形成し、その各開口部５１で薬剤取付部１０ｃとする。
前記薬剤保持体３の薬剤容器３９を、前記回転体取付部５０に嵌まり合う凹陥部３９ａと、この凹陥部３９ａを境として複数の閉塞部３９ｂを有し、装置本体１０の背面側から取付けることで複数の開口部５１を閉塞できるようにしてある。
前記薬剤容器３９の各閉塞部３９ｂに薬剤含浸体３ａをそれぞれ着脱自在に設ける。例えば、各閉塞部３９ｂに凹部３９ｃを形成し、その凹部３９ｃ内に薬剤含浸体３ａを設ける。
【００６２】
前記回転体取付部５０に、回転体２の回転軸２４を回転自在に支持し、回転体２を取付本体１０に取付けてある。
前記カバー体１１の筒体１１ｂが取付本体１０における開口部５１の外周縁に沿って一体的に設けられ、取付本体１０とカバー体１１が一体となっている。
【００６３】
このようにすれば、薬剤容器３９を取付けることで開口部５１を閉塞すると共に、薬剤保持体３（薬剤含浸体３ａ）がカバー体１１と対向して空気室１２を形成すると共に、取付本体１０に薬剤保持体３を背面側から着脱自在に取付けできる。
【００６４】
この実施の形態では、回転体取付部５０に回転体２が取付けてあると共に、取付本体１０とカバー体１１が一体であるので、前記回転体取付部５０を取付本体１０とは別体として複数の開口部５１が連続して１つの開口部となるようにし、前記回転体取付部５０に回転体２を取付けた状態で、その回転体取付部５０を１つの開口部に挿入して取付けるようにしてある。
なお、取付本体１０とカバー体１１が別体であれば、カバー体１１を取り外して回転体２を回転体取付部５０に取付けできるので、その回転体取付部５０は取付本体１０と一体とすることができる。
【００６５】
前記回転体取付部５０を直線状とし、開口部５１を２つとしてあるが、回転体取付部５０を３股形状として開口部５１を３つとしても良い。この場合には薬剤容器３９の凹陥部３９ａを３股形状として閉塞部３９ｂを３つ有する形状とする。
【００６６】
前述の各実施例の回転体２の形状、薬剤保持体３の取付け方、着用具４の形状は、図示の組み合わせに限ることはなく、任意に組み合わせることができる。
例えば、第１の実施の形態の回転体２を、シロッコファン形状、プロペラファン形状とする。
また、第１の実施の形態の着用具４を、バンドタイプとする。
【００６７】
前述の各実施の形態において、回転体２をさらに効率良く回転させるために、ベアリングを介在させて回転軸２４を孔１４，１８に支持するようにしても良い。
また、薬剤保持体３、装置本体１の形状について円形に限定されない。また、薬剤保持体３と装置本体１の形状を同形状でなく異形状にしても良い。異形状にすることで空気の撹拌を高めることもできる。
【図面の簡単な説明】
【００６８】
【図１】本発明の第１の実施の形態を示す全体正面図である。
【図２】図１のＡ−Ａ断面図である。
【図３】本発明の第２の実施の形態を示す断面図である。
【図４】本発明の第３の実施の形態を示す断面図である。
【図５】本発明の第４の実施の形態を示す断面図である。
【図６】装置本体から薬剤保持体を取り出した状態の正面図である。
【図７】本発明の第５の実施の形態を示す全体正面図である。
【図８】図７のＢ−Ｂ拡大断面図である。
【図９】薬剤保持体の他の実施の形態を示す説明図ある。
【図１０】薬剤保持体の他の実施の形態を示す説明図ある。
【図１１】本発明の第６の実施の形態を示す全体正面図である。
【図１２】図１１のＣ−Ｃ拡大断面図である。
【図１３】装置本体と底蓋の斜視図である。
【符号の説明】
【００６９】
１…装置本体、２…回転体、３…薬剤保持体、３ａ…薬剤含浸体、４…着用具、５…第１の磁石、６…第２の磁石、１０…取付本体、１０ｃ…薬剤取付部、１１…カバー体、１２…空気室、１３…空気流通部、５０…回転体取付部。
【図１】
0004968837.tif 000002
【図２】
0004968837.tif 000003
【図３】
0004968837.tif 000004
【図４】
0004968837.tif 000005
【図５】
0004968837.tif 000006
【図６】
0004968837.tif 000007
【図７】
0004968837.tif 000008
【図８】
0004968837.tif 000009
【図９】
0004968837.tif 000010
【図１０】
0004968837.tif 000011
【図１１】
0004968837.tif 000012
【図１２】
0004968837.tif 000013
【図１３】
0004968837.tif 000014